(57)【要約】【課題】個人情報を取引の相手先に漏らさず、安心、安全かつ信頼できる商品の売買取引を行うことができる商品流通システム、商品流通方法およびプログラムを提供する。【解決手段】サーバ２は、出品者端末３から商品情報ならびに荷受先情報を取得し、商品情報ごとに異なる商品識別子を発行する。購入者端末４から購入希望商品情報および配達先情報を取得し、購入希望商品情報ごとに異なる購入者識別子を発行する。出品者端末３に購入情報を送信する。購入者識別子および代金支払請求を購入者端末４に送信する。代金の支払いが確認されたとき、商品情報、荷受先情報、商品識別子、購入希望商品情報、配達先情報および購入者識別子を運送機関端末５に送信する。運送機関端末５は、その情報を取得し、販売希望商品の取引完了情報をサーバ２に送信する。サーバ２は、販売希望商品の取引完了情報を取得したとき、その商品に対応する代金の精算を指示する。【選択図】図１
2004164139.tif 000002
【特許請求の範囲】
【請求項１】
出品者端末と購入者端末とが接続されるコンピュータネットワークを介して商品の売買取引を行うための商品流通システムにおいて、
サーバと運送機関用端末とを有し、
前記サーバは、
前記出品者端末から販売希望商品の内容および価格を含む商品情報ならびに荷受先情報を取得する商品情報取得手段と、
前記商品情報取得手段で取得された商品情報ごとに異なる商品識別子を発行する商品識別子発行手段と、
前記商品情報取得手段で取得された商品情報および荷受先情報と、その商品情報に関連づけて前記商品識別子発行手段で発行された商品識別子とを関連づけて記憶する商品情報記憶手段と、
前記商品識別子発行手段で発行された商品識別子を、その商品識別子に対応する前記商品情報を提供した前記出品者端末に送信する商品識別子送信手段と、
前記購入者端末からの要求に応じて前記商品情報記憶手段に記憶された商品情報を前記購入者端末に送信する商品情報送信手段と、
前記購入者端末から前記商品情報送信手段で送信された商品情報に基づく購入希望商品情報および配達先情報を取得する配達先情報取得手段と、
前記配達先情報取得手段で取得された購入希望商品情報ごとに異なる購入者識別子を発行する購入者識別子発行手段と、
前記配達先情報取得手段で取得された購入希望商品情報および配達先情報と、その購入希望商品情報に関連づけて前記購入者識別子発行手段で発行された購入者識別子とを、その購入希望商品情報に対応する前記商品情報記憶手段に記憶された商品情報、荷受先情報および商品識別子に関連づけて記憶する購入情報記憶手段と、
前記配達先情報取得手段で取得された購入希望商品情報に対応する前記商品情報記憶手段に記憶された商品情報を提供した前記出品者端末に、その商品情報に対応する購入情報を送信する購入情報送信手段と、
前記購入者識別子発行手段で発行された購入者識別子およびその購入者識別子に関連づけられた前記商品情報記憶手段に記憶された商品情報に基づく代金支払請求を、その購入者識別子に対応する前記購入希望商品情報を提供した前記購入者端末に送信する購入者識別子送信手段と、
前記購入者識別子送信手段で送信された代金支払請求に基づき代金の支払が行われたことを確認する代金支払確認手段と、
前記代金支払確認手段で代金の支払いが確認されたとき、その代金の支払に対応する前記商品情報記憶手段に記憶された商品情報、荷受先情報および商品識別子ならびにそれらの情報に関連づけて前記購入情報記憶手段に記憶された購入希望商品情報、配達先情報および購入者識別子を前記運送機関端末に送信する取引情報送信手段と、
前記取引情報送信手段で送信された情報に対応する前記販売希望商品の取引完了情報を前記運送機関端末から取得する取引完了情報取得手段と、
前記取引完了情報取得手段で取引完了情報を取得したとき、その取引完了情報に対応する前記商品情報記憶手段に記憶された商品情報に対応する代金の精算を指示する代金精算指示手段とを有し、
前記運送機関端末は、
前記サーバの取引情報送信手段で送信された情報を取得する取引情報取得手段と、
前記取引情報取得手段で取得された情報に対応する前記販売希望商品の取引完了情報を前記サーバに送信する取引完了情報送信手段とを有することを、
特徴とする商品流通システム。
【請求項２】
前記運送機関端末は、
前記取引情報取得手段で取得された情報に対応する前記販売希望商品の出品要請指示を前記サーバに送信する出品要請指示送信手段と、
前記取引情報取得手段で取得された情報に対応する前記販売希望商品を受け取ったとき、商品受取情報を前記サーバに送信する商品受取情報送信手段とを有し、
前記サーバは、
前記運送機関端末の出品要請指示送信手段で送信された出品要請指示を取得する出品要請指示取得手段と、
前記出品要請指示取得手段で取得された出品要請指示に基づき、その出品要請指示に対応する前記商品情報記憶手段に記憶された商品情報を提供した前記出品者端末に、その商品情報に対応する前記販売希望商品の出品要請情報を送信する出品要請情報送信手段と、
前記運送機関端末の商品受取情報送信手段で送信された商品受取情報を取得する商品受取情報取得手段とを有することを、
特徴とする請求項１記載の商品流通システム。
【請求項３】
前記荷受先情報は出品者の連絡先情報を含み、
前記商品情報送信手段は前記購入者端末からの要求に応じて前記商品情報記憶手段に記憶された商品情報および荷受先情報を前記購入者端末に送信することを、
特徴とする請求項１または２記載の商品流通システム。
【請求項４】
前記配達先情報は購入者の連絡先情報を含み、
前記購入情報送信手段は前記配達先情報取得手段で取得された購入希望商品情報に対応する前記商品情報記憶手段に記憶された商品情報を提供した前記出品者端末に、その商品情報に対応する購入情報および前記購入情報記憶手段に記憶された配達先情報を送信することを、
特徴とする請求項１または２記載の商品流通システム。
【請求項５】
出品者端末と購入者端末とが接続されるコンピュータネットワークを介して商品の売買取引を行うための商品流通方法において、
サーバと運送機関用端末とを有し、
前記サーバは、
前記出品者端末から販売希望商品の内容および価格を含む商品情報ならびに荷受先情報を取得する商品情報取得ステップと、
前記商品情報取得ステップで取得された商品情報ごとに異なる商品識別子を発行する商品識別子発行ステップと、
前記商品情報取得ステップで取得された商品情報および荷受先情報と、その商品情報に関連づけて前記商品識別子発行ステップで発行された商品識別子とを関連づけて記憶する商品情報記憶ステップと、
前記商品識別子発行ステップで発行された商品識別子を、その商品識別子に対応する前記商品情報を提供した前記出品者端末に送信する商品識別子送信ステップと、
前記購入者端末からの要求に応じて前記商品情報記憶ステップで記憶された商品情報を前記購入者端末に送信する商品情報送信ステップと、
前記購入者端末から前記商品情報送信ステップで送信された商品情報に基づく購入希望商品情報および配達先情報を取得する配達先情報取得ステップと、
前記配達先情報取得ステップで取得された購入希望商品情報ごとに異なる購入者識別子を発行する購入者識別子発行ステップと、
前記配達先情報取得ステップで取得された購入希望商品情報および配達先情報と、その購入希望商品情報に関連づけて前記購入者識別子発行ステップで発行された購入者識別子とを、その購入希望商品情報に対応する前記商品情報記憶ステップで記憶された商品情報、荷受先情報および商品識別子に関連づけて記憶する購入情報記憶ステップと、
前記配達先情報取得ステップで取得された購入希望商品情報に対応する前記商品情報記憶ステップで記憶された商品情報を提供した前記出品者端末に、その商品情報に対応する購入情報を送信する購入情報送信ステップと、
前記購入者識別子発行ステップで発行された購入者識別子およびその購入者識別子に関連づけられた前記商品情報記憶ステップで記憶された商品情報に基づく代金支払請求を、その購入者識別子に対応する前記購入希望商品情報を提供した前記購入者端末に送信する購入者識別子送信ステップと、
前記購入者識別子送信ステップで送信された代金支払請求に基づき代金の支払が行われたことを確認する代金支払確認ステップと、
前記代金支払確認ステップで代金の支払いが確認されたとき、その代金の支払に対応する前記商品情報記憶ステップで記憶された商品情報、荷受先情報および商品識別子ならびにそれらの情報に関連づけて前記購入情報記憶ステップで記憶された購入希望商品情報、配達先情報および購入者識別子を前記運送機関端末に送信する取引情報送信ステップと、
前記取引情報送信ステップで送信された情報に対応する前記販売希望商品の取引完了情報を前記運送機関端末から取得する取引完了情報取得ステップと、
前記取引完了情報取得ステップで取引完了情報を取得したとき、その取引完了情報に対応する前記商品情報記憶ステップで記憶された商品情報に対応する代金の精算を指示する代金精算指示ステップとを有し、
前記運送機関端末は、
前記サーバの取引情報送信ステップで送信された情報を取得する取引情報取得ステップと、
前記取引情報取得ステップで取得された情報に対応する前記販売希望商品の取引完了情報を前記サーバに送信する取引完了情報送信ステップとを有することを、
特徴とする商品流通方法。
【請求項６】
前記運送機関端末は、
前記取引情報取得ステップで取得された情報に対応する前記販売希望商品の出品要請指示を前記サーバに送信する出品要請指示送信ステップと、
前記取引情報取得ステップで取得された情報に対応する前記販売希望商品を受け取ったとき、商品受取情報を前記サーバに送信する商品受取情報送信ステップとを有し、
前記サーバは、
前記運送機関端末の出品要請指示送信ステップで送信された出品要請指示を取得する出品要請指示取得ステップと、
前記出品要請指示取得ステップで取得された出品要請指示に基づき、その出品要請指示に対応する前記商品情報記憶ステップで記憶された商品情報を提供した前記出品者端末に、その商品情報に対応する前記販売希望商品の出品要請情報を送信する出品要請情報送信ステップと
前記運送機関端末の商品受取情報送信ステップで送信された商品受取情報を取得する商品受取情報取得ステップとを有することを、
特徴とする請求項５記載の商品流通方法。
【請求項７】
出品者端末と購入者端末とが接続されるコンピュータネットワークを介して商品の売買取引を行うためのプログラムであって、
サーバと運送機関用端末とを機能させ、
前記サーバを、
前記出品者端末から販売希望商品の内容および価格を含む商品情報ならびに荷受先情報を取得する商品情報取得手段と、
前記商品情報取得手段で取得された商品情報ごとに異なる商品識別子を発行する商品識別子発行手段と、
前記商品情報取得手段で取得された商品情報および荷受先情報と、その商品情報に関連づけて前記商品識別子発行手段で発行された商品識別子とを関連づけて記憶する商品情報記憶手段と、
前記商品識別子発行手段で発行された商品識別子を、その商品識別子に対応する前記商品情報を提供した前記出品者端末に送信する商品識別子送信手段と、
前記購入者端末からの要求に応じて前記商品情報記憶手段に記憶された商品情報を前記購入者端末に送信する商品情報送信手段と、
前記購入者端末から前記商品情報送信手段で送信された商品情報に基づく購入希望商品情報および配達先情報を取得する配達先情報取得手段と、
前記配達先情報取得手段で取得された購入希望商品情報ごとに異なる購入者識別子を発行する購入者識別子発行手段と、
前記配達先情報取得手段で取得された購入希望商品情報および配達先情報と、その購入希望商品情報に関連づけて前記購入者識別子発行手段で発行された購入者識別子とを、その購入希望商品情報に対応する前記商品情報記憶手段に記憶された商品情報、荷受先情報および商品識別子に関連づけて記憶する購入情報記憶手段と、
前記配達先情報取得手段で取得された購入希望商品情報に対応する前記商品情報記憶手段に記憶された商品情報を提供した前記出品者端末に、その商品情報に対応する購入情報を送信する購入情報送信手段と、
前記購入者識別子発行手段で発行された購入者識別子およびその購入者識別子に関連づけられた前記商品情報記憶手段に記憶された商品情報に基づく代金支払請求を、その購入者識別子に対応する前記購入希望商品情報を提供した前記購入者端末に送信する購入者識別子送信手段と、
前記購入者識別子送信手段で送信された代金支払請求に基づき代金の支払が行われたことを確認する代金支払確認手段と、
前記代金支払確認手段で代金の支払いが確認されたとき、その代金の支払に対応する前記商品情報記憶手段に記憶された商品情報、荷受先情報および商品識別子ならびにそれらの情報に関連づけて前記購入情報記憶手段に記憶された購入希望商品情報、配達先情報および購入者識別子を前記運送機関端末に送信する取引情報送信手段と、
前記取引情報送信手段で送信された情報に対応する前記販売希望商品の取引完了情報を前記運送機関端末から取得する取引完了情報取得手段と、
前記取引完了情報取得手段で取引完了情報を取得したとき、その取引完了情報に対応する前記商品情報記憶手段に記憶された商品情報に対応する代金の精算を指示する代金精算指示手段として機能させ、
前記運送機関端末を、
前記サーバの取引情報送信手段で送信された情報を取得する取引情報取得手段と、
前記取引情報取得手段で取得された情報に対応する前記販売希望商品の取引完了情報を前記サーバに送信する取引完了情報送信手段として、
機能させるためのプログラム。
【請求項８】
前記運送機関端末を、
前記取引情報取得手段で取得された情報に対応する前記販売希望商品の出品要請指示を前記サーバに送信する出品要請指示送信手段と、
前記取引情報取得手段で取得された情報に対応する前記販売希望商品を受け取ったとき、商品受取情報を前記サーバに送信する商品受取情報送信手段として機能させ、
前記サーバを、
前記運送機関端末の出品要請指示送信手段で送信された出品要請指示を取得する出品要請指示取得手段と、
前記出品要請指示取得手段で取得された出品要請指示に基づき、その出品要請指示に対応する前記商品情報記憶手段に記憶された商品情報を提供した前記出品者端末に、その商品情報に対応する前記販売希望商品の出品要請情報を送信する出品要請情報送信手段と、
前記運送機関端末の商品受取情報送信手段で送信された商品受取情報を取得する商品受取情報取得手段として、
機能させるための請求項７記載のプログラム。
【発明の詳細な説明】
【０００１】
【発明の属する技術分野】
本発明は、インターネットなどのコンピュータネットワークを介して商品の売買取引を行うための商品流通システム、商品流通方法およびプログラムに関する。
【０００２】
【従来の技術】
従来、インターネットなどのコンピュータネットワークを介して商品の売買取引を行うものとしては、例えばインターネットショッピングモールが知られている。これは、インターネット内のホームページなどに仮想の商店街を形成し、インターネットを通じて買者客が各商店の内部を閲覧し、欲しい商品を注文するというものである。商品を注文するときには、主に商品の配達先を特定するために、買物客は氏名、住所などの個人情報を入力する。
【０００３】
【発明が解決しようとする課題】
しかしながら、従来のコンピュータネットワークを介した商品の売買取引では、発信した個人情報が売買され、悪用されることがあるという課題があった。また、これを避けるために匿名により売買取引を行う場合もあるが、商品情報や個人情報などを偽り、トラブルが発生するという課題もあった。
【０００４】
本発明は、このような従来の課題に着目してなされたもので、個人情報を取引の相手先に漏らさず、安心、安全かつ信頼できる商品の売買取引を行うことができる商品流通システム、商品流通方法およびプログラムを提供することを目的としている。
【０００５】
【課題を解決するための手段】
上記目的を達成するために、本発明に係る商品流通システムは、出品者端末と購入者端末とが接続されるコンピュータネットワークを介して商品の売買取引を行うための商品流通システムにおいて、サーバと運送機関用端末とを有し、前記サーバは、前記出品者端末から販売希望商品の内容および価格を含む商品情報ならびに荷受先情報を取得する商品情報取得手段と、前記商品情報取得手段で取得された商品情報ごとに異なる商品識別子を発行する商品識別子発行手段と、前記商品情報取得手段で取得された商品情報および荷受先情報と、その商品情報に関連づけて前記商品識別子発行手段で発行された商品識別子とを関連づけて記憶する商品情報記憶手段と、前記商品識別子発行手段で発行された商品識別子を、その商品識別子に対応する前記商品情報を提供した前記出品者端末に送信する商品識別子送信手段と、前記購入者端末からの要求に応じて前記商品情報記憶手段に記憶された商品情報を前記購入者端末に送信する商品情報送信手段と、前記購入者端末から前記商品情報送信手段で送信された商品情報に基づく購入希望商品情報および配達先情報を取得する配達先情報取得手段と、前記配達先情報取得手段で取得された購入希望商品情報ごとに異なる購入者識別子を発行する購入者識別子発行手段と、前記配達先情報取得手段で取得された購入希望商品情報および配達先情報と、その購入希望商品情報に関連づけて前記購入者識別子発行手段で発行された購入者識別子とを、その購入希望商品情報に対応する前記商品情報記憶手段に記憶された商品情報、荷受先情報および商品識別子に関連づけて記憶する購入情報記憶手段と、前記配達先情報取得手段で取得された購入希望商品情報に対応する前記商品情報記憶手段に記憶された商品情報を提供した前記出品者端末に、その商品情報に対応する購入情報を送信する購入情報送信手段と、前記購入者識別子発行手段で発行された購入者識別子およびその購入者識別子に関連づけられた前記商品情報記憶手段に記憶された商品情報に基づく代金支払請求を、その購入者識別子に対応する前記購入希望商品情報を提供した前記購入者端末に送信する購入者識別子送信手段と、前記購入者識別子送信手段で送信された代金支払請求に基づき代金の支払が行われたことを確認する代金支払確認手段と、前記代金支払確認手段で代金の支払いが確認されたとき、その代金の支払に対応する前記商品情報記憶手段に記憶された商品情報、荷受先情報および商品識別子ならびにそれらの情報に関連づけて前記購入情報記憶手段に記憶された購入希望商品情報、配達先情報および購入者識別子を前記運送機関端末に送信する取引情報送信手段と、前記取引情報送信手段で送信された情報に対応する前記販売希望商品の取引完了情報を前記運送機関端末から取得する取引完了情報取得手段と、前記取引完了情報取得手段で取引完了情報を取得したとき、その取引完了情報に対応する前記商品情報記憶手段に記憶された商品情報に対応する代金の精算を指示する代金精算指示手段とを有し、前記運送機関端末は、前記サーバの取引情報送信手段で送信された情報を取得する取引情報取得手段と、前記取引情報取得手段で取得された情報に対応する前記販売希望商品の取引完了情報を前記サーバに送信する取引完了情報送信手段とを有することを、特徴とする。
【０００６】
本発明に係る商品流通方法は、出品者端末と購入者端末とが接続されるコンピュータネットワークを介して商品の売買取引を行うための商品流通方法において、サーバと運送機関用端末とを有し、前記サーバは、前記出品者端末から販売希望商品の内容および価格を含む商品情報ならびに荷受先情報を取得する商品情報取得ステップと、前記商品情報取得ステップで取得された商品情報ごとに異なる商品識別子を発行する商品識別子発行ステップと、前記商品情報取得ステップで取得された商品情報および荷受先情報と、その商品情報に関連づけて前記商品識別子発行ステップで発行された商品識別子とを関連づけて記憶する商品情報記憶ステップと、前記商品識別子発行ステップで発行された商品識別子を、その商品識別子に対応する前記商品情報を提供した前記出品者端末に送信する商品識別子送信ステップと、前記購入者端末からの要求に応じて前記商品情報記憶ステップで記憶された商品情報を前記購入者端末に送信する商品情報送信ステップと、前記購入者端末から前記商品情報送信ステップで送信された商品情報に基づく購入希望商品情報および配達先情報を取得する配達先情報取得ステップと、前記配達先情報取得ステップで取得された購入希望商品情報ごとに異なる購入者識別子を発行する購入者識別子発行ステップと、前記配達先情報取得ステップで取得された購入希望商品情報および配達先情報と、その購入希望商品情報に関連づけて前記購入者識別子発行ステップで発行された購入者識別子とを、その購入希望商品情報に対応する前記商品情報記憶ステップで記憶された商品情報、荷受先情報および商品識別子に関連づけて記憶する購入情報記憶ステップと、前記配達先情報取得ステップで取得された購入希望商品情報に対応する前記商品情報記憶ステップで記憶された商品情報を提供した前記出品者端末に、その商品情報に対応する購入情報を送信する購入情報送信ステップと、前記購入者識別子発行ステップで発行された購入者識別子およびその購入者識別子に関連づけられた前記商品情報記憶ステップで記憶された商品情報に基づく代金支払請求を、その購入者識別子に対応する前記購入希望商品情報を提供した前記購入者端末に送信する購入者識別子送信ステップと、前記購入者識別子送信ステップで送信された代金支払請求に基づき代金の支払が行われたことを確認する代金支払確認ステップと、前記代金支払確認ステップで代金の支払いが確認されたとき、その代金の支払に対応する前記商品情報記憶ステップで記憶された商品情報、荷受先情報および商品識別子ならびにそれらの情報に関連づけて前記購入情報記憶ステップで記憶された購入希望商品情報、配達先情報および購入者識別子を前記運送機関端末に送信する取引情報送信ステップと、前記取引情報送信ステップで送信された情報に対応する前記販売希望商品の取引完了情報を前記運送機関端末から取得する取引完了情報取得ステップと、前記取引完了情報取得ステップで取引完了情報を取得したとき、その取引完了情報に対応する前記商品情報記憶ステップで記憶された商品情報に対応する代金の精算を指示する代金精算指示ステップとを有し、前記運送機関端末は、前記サーバの取引情報送信ステップで送信された情報を取得する取引情報取得ステップと、前記取引情報取得ステップで取得された情報に対応する前記販売希望商品の取引完了情報を前記サーバに送信する取引完了情報送信ステップとを有することを、特徴とする。
【０００７】
本発明に係るプログラムは、出品者端末と購入者端末とが接続されるコンピュータネットワークを介して商品の売買取引を行うためのプログラムであって、サーバと運送機関用端末とを機能させ、前記サーバを、前記出品者端末から販売希望商品の内容および価格を含む商品情報ならびに荷受先情報を取得する商品情報取得手段と、前記商品情報取得手段で取得された商品情報ごとに異なる商品識別子を発行する商品識別子発行手段と、前記商品情報取得手段で取得された商品情報および荷受先情報と、その商品情報に関連づけて前記商品識別子発行手段で発行された商品識別子とを関連づけて記憶する商品情報記憶手段と、前記商品識別子発行手段で発行された商品識別子を、その商品識別子に対応する前記商品情報を提供した前記出品者端末に送信する商品識別子送信手段と、前記購入者端末からの要求に応じて前記商品情報記憶手段に記憶された商品情報を前記購入者端末に送信する商品情報送信手段と、前記購入者端末から前記商品情報送信手段で送信された商品情報に基づく購入希望商品情報および配達先情報を取得する配達先情報取得手段と、前記配達先情報取得手段で取得された購入希望商品情報ごとに異なる購入者識別子を発行する購入者識別子発行手段と、前記配達先情報取得手段で取得された購入希望商品情報および配達先情報と、その購入希望商品情報に関連づけて前記購入者識別子発行手段で発行された購入者識別子とを、その購入希望商品情報に対応する前記商品情報記憶手段に記憶された商品情報、荷受先情報および商品識別子に関連づけて記憶する購入情報記憶手段と、前記配達先情報取得手段で取得された購入希望商品情報に対応する前記商品情報記憶手段に記憶された商品情報を提供した前記出品者端末に、その商品情報に対応する購入情報を送信する購入情報送信手段と、前記購入者識別子発行手段で発行された購入者識別子およびその購入者識別子に関連づけられた前記商品情報記憶手段に記憶された商品情報に基づく代金支払請求を、その購入者識別子に対応する前記購入希望商品情報を提供した前記購入者端末に送信する購入者識別子送信手段と、前記購入者識別子送信手段で送信された代金支払請求に基づき代金の支払が行われたことを確認する代金支払確認手段と、前記代金支払確認手段で代金の支払いが確認されたとき、その代金の支払に対応する前記商品情報記憶手段に記憶された商品情報、荷受先情報および商品識別子ならびにそれらの情報に関連づけて前記購入情報記憶手段に記憶された購入希望商品情報、配達先情報および購入者識別子を前記運送機関端末に送信する取引情報送信手段と、前記取引情報送信手段で送信された情報に対応する前記販売希望商品の取引完了情報を前記運送機関端末から取得する取引完了情報取得手段と、前記取引完了情報取得手段で取引完了情報を取得したとき、その取引完了情報に対応する前記商品情報記憶手段に記憶された商品情報に対応する代金の精算を指示する代金精算指示手段として機能させ、前記運送機関端末を、前記サーバの取引情報送信手段で送信された情報を取得する取引情報取得手段と、前記取引情報取得手段で取得された情報に対応する前記販売希望商品の取引完了情報を前記サーバに送信する取引完了情報送信手段として、機能させる。
【０００８】
本発明に係る商品流通システム、商品流通方法、プログラムは、荷受先情報および配達先情報には出品者あるいは購入者を特定するための氏名や名称などの情報および電子メールアドレスを含んでいることが好ましい。また、あらかじめ会員などとして個人情報を登録している出品者あるいは購入者の場合には、荷受先情報および配達先情報には会員を特定するための会員番号などを含んでいても良い。本発明に係る商品流通システムは、取引完了情報取得手段で取引完了情報を取得したとき、その取引完了情報に対応する販売希望商品のための損害賠償保険を自動的に掛ける手段を有していてもよい。
【０００９】
本発明に係る商品流通システム、商品流通方法、プログラムは、出品者に関する情報は全て商品識別子により識別し、購入者に関する情報は全て購入者識別子により識別することにより、出品者および購入者の個人情報をお互いに知られることなく、売買取引を行うことができる。また、本発明に係る商品流通システム、商品流通方法、プログラムは、出品者および購入者の個人情報をサーバの運営者および運送機関だけに公開する。このため、出品者および購入者にとって安心、安全かつ信頼できる商品の売買取引を行うことができる。
【００１０】
本発明に係る商品流通システム、商品流通方法、プログラムでは、購入者からサーバ側への支払が確認されてから販売希望商品の受取および配達を行い、配達が完了した後にサーバ側から出品者への代金精算が行われる。このため、購入者の代金未払いや、商品の未着などのトラブルを未然に防ぐことができる。
【００１１】
本発明に係る商品流通システムは、前記運送機関端末は、前記取引情報取得手段で取得された情報に対応する前記販売希望商品の出品要請指示を前記サーバに送信する出品要請指示送信手段と前記取引情報取得手段で取得された情報に対応する前記販売希望商品を受け取ったとき、商品受取情報を前記サーバに送信する商品受取情報送信手段とを有し、前記サーバは、前記運送機関端末の出品要請指示送信手段で送信された出品要請指示を取得する出品要請指示取得手段と、前記出品要請指示取得手段で取得された出品要請指示に基づき、その出品要請指示に対応する前記商品情報記憶手段に記憶された商品情報を提供した前記出品者端末に、その商品情報に対応する前記販売希望商品の出品要請情報を送信する出品要請情報送信手段と、前記運送機関端末の商品受取情報送信手段で送信された商品受取情報を取得する商品受取情報取得手段とを、有することが好ましい。
【００１２】
本発明に係る商品流通方法は、前記運送機関端末は、前記取引情報取得ステップで取得された情報に対応する前記販売希望商品の出品要請指示を前記サーバに送信する出品要請指示送信ステップと、前記取引情報取得ステップで取得された情報に対応する前記販売希望商品を受け取ったとき、商品受取情報を前記サーバに送信する商品受取情報送信ステップとを有し、前記サーバは、前記運送機関端末の出品要請指示送信ステップで送信された出品要請指示を取得する出品要請指示取得ステップと、前記出品要請指示取得ステップで取得された出品要請指示に基づき、その出品要請指示に対応する前記商品情報記憶ステップで記憶された商品情報を提供した前記出品者端末に、その商品情報に対応する前記販売希望商品の出品要請情報を送信する出品要請情報送信ステップと、前記運送機関端末の商品受取情報送信ステップで送信された商品受取情報を取得する商品受取情報取得ステップとを、有することが好ましい。
【００１３】
本発明に係るプログラムは、前記運送機関端末を、前記取引情報取得手段で取得された情報に対応する前記販売希望商品の出品要請指示を前記サーバに送信する出品要請指示送信手段と、前記取引情報取得手段で取得された情報に対応する前記販売希望商品を受け取ったとき、商品受取情報を前記サーバに送信する商品受取情報送信手段として機能させ、前記サーバを、前記運送機関端末の出品要請指示送信手段で送信された出品要請指示を取得する出品要請指示取得手段と、前記出品要請指示取得手段で取得された出品要請指示に基づき、その出品要請指示に対応する前記商品情報記憶手段に記憶された商品情報を提供した前記出品者端末に、その商品情報に対応する前記販売希望商品の出品要請情報を送信する出品要請情報送信手段と、前記運送機関端末の商品受取情報送信手段で送信された商品受取情報を取得する商品受取情報取得手段として、機能させることが好ましい。
【００１４】
本発明に係る商品流通システム、商品流通方法、プログラムは、出品要請情報には受取時間が含まれていることが好ましい。この場合、出品者および運送機関の都合に合わせて受取時間を設定することができるため、運送機関の販売希望商品の受取を確実に行わせることができる。また、運送機関が販売希望商品を受け取ったことをサーバに連絡するため、販売希望商品の配達状況を詳細に把握することができる。
【００１５】
本発明に係る商品流通システムは、前記荷受先情報は出品者の連絡先情報を含み、前記商品情報送信手段は前記購入者端末からの要求に応じて前記商品情報記憶手段に記憶された商品情報および荷受先情報を前記購入者端末に送信してもよい。
【００１６】
この場合、購入者には出品者の連絡先情報が知らされるため、購入者の取引への信頼感を高めることができる。
【００１７】
本発明に係る商品流通システムは、前記配達先情報は購入者の連絡先情報を含み、前記購入情報送信手段は前記配達先情報取得手段で取得された購入希望商品情報に対応する前記商品情報記憶手段に記憶された商品情報を提供した前記出品者端末に、その商品情報に対応する購入情報および前記購入情報記憶手段に記憶された配達先情報を送信してもよい。
【００１８】
この場合、出品者には購入者の連絡先情報が知らされるため、出品者の取引への信頼感を高めることができる。
【００１９】
【発明の実施の形態】
以下、図面に基づき、本発明の実施の形態について説明する。
図１乃至図４は、本発明の実施の形態の商品流通システムを示している。なお、本発明の実施の形態の商品流通方法は、その商品流通システムにより実行される方法であり、そのプログラムを記録したハードディスク、ＣＤ−ＲＯＭ、フロッピーディスクなどのコンピュータ読み取り可能な記録媒体により計算機（コンピュータ）に実行させることができる。
【００２０】
図１に示すように、インターネット１などのコンピュータネットワークには、電話回線などを経由してサーバ２および多数のコンピュータの端末３，４，５が接続される。サーバ２および端末３，４，５は、それぞれ、ＣＰＵにより構成される制御手段、プログラムを記憶したハードディスクメモリ、各種ファイルを記憶したメモリ、キーボードやマウスなどの入力手段、モニタやプリンタなどの出力手段および通信手段を有している。なお、端末は、パーソナル・コンピュータ、携帯電話、携帯情報端末（ＰＤＡ）などの各種端末のいずれであっても良い。
【００２１】
ここで、図１に示すように、サーバ２には、販売希望商品を出品する出品者６の端末（出品者端末３）と、その商品を購入する購入者７の端末（購入者端末４）と、その商品の受取および配達を行う運送機関（運送業者）８の端末（運送機関端末５）とが、インターネット１を介して接続されている。
図２に示すように、サーバ２は、主制御部１０と、処理手段１１と、送信手段１２と、受信手段１３と、記憶手段１４とをコンピュータの機能として有している。
【００２２】
主制御部１０は、ＣＰＵ等から構成され、各部の制御や、データの転送、種々の演算等を行う。処理手段１１は、出品者６が出品した商品情報ごとに異なる商品識別子を発行する商品識別子発行手段１５と、購入者７の購入希望商品情報ごとに異なる購入者識別子を発行する購入者識別子発行手段１６と、代金支払請求に基づき代金の支払が行われたことを確認する代金支払確認手段１７と、取引完了情報に対応してその商品情報に対応する代金の精算を指示する代金精算指示手段１８とを有する。
【００２３】
送信手段１２は、発行された商品識別子を商品情報を提供した出品者端末３に送信する商品識別子送信手段１９と、購入者端末４からの要求に応じて商品情報を購入者端末４に送信する商品情報送信手段２０と、購入者７の購入希望商品情報に対応する商品情報を提供した出品者端末３に購入情報を送信する購入情報送信手段２１と、発行された購入者識別子およびその購入者識別子に対応する商品情報に基づく代金支払請求を購入者端末４に送信する購入者識別子送信手段２２と、代金の支払いが確認されたとき、その代金の支払に対応する商品情報、荷受先情報、商品識別子、購入希望商品情報、配達先情報および購入者識別子を運送機関端末５に送信する取引情報送信手段２３と、出品要請指示に基づき出品者端末３に販売希望商品の出品要請情報を送信する出品要請情報送信手段２４とを有する。
【００２４】
受信手段１３は、出品者端末３から販売希望商品の内容および価格を含む商品情報ならびに荷受先情報を取得する商品情報取得手段２５と、購入者端末４から購入希望商品情報および配達先情報を取得する配達先情報取得手段２６と、販売希望商品の取引完了情報を運送機関端末５から取得する取引完了情報取得手段２７と、運送機関端末５から出品要請指示を取得する出品要請指示取得手段２８と、運送機関端末５から商品受取情報を取得する商品受取情報取得手段２９とを有する。
【００２５】
記憶手段１４は、商品情報および荷受先情報と、その商品情報に関連づけて発行された商品識別子とを関連づけて記憶する商品情報記憶手段３０と、購入希望商品情報および配達先情報と、その購入希望商品情報に関連づけて発行された購入者識別子とを、その購入希望商品情報に対応する商品情報、荷受先情報および商品識別子に関連づけて記憶する購入情報記憶手段３１とを有する。
【００２６】
図３に示すように、運送機関端末５は、主制御部４０と、送信手段４１と、受信手段４２とをコンピュータの機能として有している。
主制御部４０は、ＣＰＵ等から構成され、各部の制御や、データの転送、種々の演算等を行う。送信手段４１は、販売希望商品の取引完了情報をサーバ２に送信する取引完了情報送信手段４３と、販売希望商品の出品要請指示をサーバ２に送信する出品要請指示送信手段４４と、販売希望商品を受け取ったとき、商品受取情報をサーバ２に送信する商品受取情報送信手段４５とを有する。受信手段４２は、サーバ２の取引情報送信手段２３で送信された情報を取得する取引情報取得手段４６を有する。
【００２７】
次に、図４を参照して、商品流通システムの処理手順について説明する。
まず、出品者６は、サーバ２が提供するコミュニティサイトやホームページなどを介して、販売希望商品の内容および価格を含む商品情報および荷受先情報を出品者端末３からサーバ２へ提供する（ステップ５１）。商品情報には販売希望商品の写真や名称等が含まれ、荷受先情報には事前登録した会員番号または出品者６の電子メールアドレス、氏名や名称、および、荷受先などが含まれている。
【００２８】
サーバ２は、その商品情報および荷受先情報を商品情報取得手段２５により取得する（ステップ５２）。取得した商品情報ごとに異なる商品識別子を商品識別子発行手段１５により発行する（ステップ５３）。商品識別子は、出品者番号や出品番号などからなる。対応する商品情報、荷受先情報および商品識別子を関連づけて商品情報記憶手段３０により保存し、記憶する。発行した商品識別子を、その商品情報を提供した出品者端末３に、商品識別子送信手段１９により送信する。取得した商品情報を、サーバ２が提供するコミュニティサイトやホームページなどに公開する。
【００２９】
購入者７は、購入者端末４によりインターネット１を介してサーバ２が提供するコミュニティサイトやホームページなどを閲覧して、サーバ２の商品情報送信手段２０により送信される販売希望商品の商品情報を取得する（ステップ５４）。このとき、サーバ２は、出品者６からの要求に応じて、出品者６の電子メールアドレスや氏名などの連絡先情報を含んだ荷受先情報を商品情報とともに送信しても良い。この場合、購入者７には出品者６の連絡先情報が知らされるため、購入者７の取引への信頼感を高めることができる。購入者７は、取得した商品情報に基づいて購入を検討し、購入を希望する場合には、購入希望商品情報および配達先情報を購入者端末４からサーバ２へ送信する（ステップ５５）。配達先情報には事前登録した会員番号または購入者７の電子メールアドレス、氏名や名称、および、配達先などが含まれている。
【００３０】
サーバ２は、購入者端末４から購入希望商品情報および配達先情報を配達先情報取得手段２６により取得する（ステップ５６）。取得した購入希望商品情報に対応する商品情報を提供した出品者端末３に、その商品が購入される旨の購入情報を購入情報送信手段２１により送信する（ステップ５７）。このとき、購入者７の電子メールアドレスや氏名などの連絡先情報を含んだ配達先情報を購入情報とともに送信しても良い。この場合、出品者６には購入者７の連絡先情報が知らされるため、出品者６の取引への信頼感を高めることができる。
【００３１】
サーバ２は、取得した購入希望商品情報ごとに異なる購入者識別子を購入者識別子発行手段１６により発行する（ステップ５８）。購入者識別子は、購入者番号や発送先番号などからなる。対応する購入希望商品情報、配達先情報および購入者識別子を、その購入希望商品情報に対応する商品情報記憶手段３０に記憶された商品情報、荷受先情報および商品識別子に関連づけて、購入情報記憶手段３１により記憶する。
【００３２】
サーバ２は、発行した購入者識別子およびそれに対応する商品情報に基づく代金支払請求を、購入希望商品情報を提供した購入者端末４に購入者識別子送信手段２２により送信する（ステップ５９）。送信した代金支払請求に基づき、購入者７により代金の支払が行われたことを代金支払確認手段１７により確認する（ステップ６０）。代金の支払いが確認されたとき、その代金の支払に対応する商品情報、荷受先情報、商品識別子、購入希望商品情報、配達先情報および購入者識別子を、取引情報送信手段２３により運送機関端末５に送信する（ステップ６１）。これにより、購入者７の代金未払いによるトラブルを未然に防ぐことができる。
【００３３】
運送機関８は、サーバ２の取引情報送信手段２３で送信された情報を取引情報取得手段４６により取得する（ステップ６２）。取得した情報に対応する販売希望商品を、荷受先情報により指定された荷受先に出品するように要請する出品要請指示を、出品要請指示送信手段４４によりサーバ２に送信する（ステップ６３）。それと同時に、運送を担当するトラックに対して販売希望商品を受け取るように指示を出す（ステップ６４）。
【００３４】
サーバ２は、運送機関端末５の出品要請指示を出品要請指示取得手段２８により取得する（ステップ６５）。取得した出品要請指示に基づき、対応する販売希望商品を荷受先に出品するよう要請する出品要請情報を、その商品情報を提供した出品者端末３に出品要請情報送信手段２４により送信する（ステップ６６）。なお、出品要請情報には受取時間が含まれていてもよい。この場合、出品者６および運送機関８の都合に合わせて受取時間を調節し、設定することができるため、運送機関８による販売希望商品の受取が確実に行われる。
【００３５】
出品者６は、サーバ２からの出品要請情報に基づき、荷受先情報で指定した荷受先に商品を持ち込む（ステップ６７）。なお、荷受先は、例えば、出品者６の自宅や２４時間営業のコンビニエンスストアなどである。コンビニエンスストアなど出品者６の自宅以外の場所が荷受先の場合には、出品者６がサーバ２から取得した商品識別子を記入した用紙を商品に貼付するなどして、商品が識別できるようにしてから商品を持ち込む。
【００３６】
運送機関８は、担当のトラックが荷受先におもむき、販売希望商品を受け取る（ステップ６８）。そのとき、取引情報取得手段４６により取得した商品識別子と、出品者６がサーバ２から取得した商品識別子とを照合し、商品の確認を行う。商品に間違いなどがなければ、商品受取情報を商品受取情報送信手段４５によりサーバ２に送信する。サーバ２は、商品受取情報を商品受取情報取得手段２９により取得する。これにより、販売希望商品の配達状況を詳細に把握することができ、購入者７からの配達状況の問い合わせなどにも対応することができる。
【００３７】
運送機関８は、配達先情報および購入者識別子に基づいたバーコード等を商品に貼付する（ステップ６９）。貼付したバーコード等により商品管理を行いつつ、必要であればトラックの積み替えなどを行い、配達先情報で指定された配達先まで配送する（ステップ７０）。配達先は、例えば、購入者７の自宅や２４時間営業のコンビニエンスストアなどである。コンビニエンスストアなど購入者７の自宅以外の場所が配達先の場合には、購入者７がサーバ２から取得した購入者識別子を記入した用紙をあらかじめ配達先に預けておくなどして、商品が識別できるようにしておく。配達先で、取引情報取得手段４６により取得した購入者識別子と、購入者７がサーバ２から取得した購入者識別子とを照合し、商品の確認を行う。商品に間違いなどがなければ、商品を引き渡し（ステップ７１）、取引完了情報を取引完了情報送信手段４３によりサーバ２に送信する（ステップ７２）。
【００３８】
サーバ２は、取引完了情報を取引完了情報取得手段２７により運送機関端末５から取得する（ステップ７３）。取引完了情報を取得したとき、購入者７から納付済みの商品代金を出品者６に精算するように、代金精算指示手段１８により指示する。これにより、商品の未着などのトラブルに対処することができる。
【００３９】
なお、商品の受取時、引渡時、引渡後などに商品の間違いや欠陥商品などの問題が発生した場合には、それぞれの時点で適宜処理する（ステップ７４）。また、サーバ２が出品者端末３に出品要請情報を送信（ステップ６６）してから一定期間経過しても、運送機関８から取引完了情報が送信されてこない場合には、催促、確認処理を行う（ステップ７５）。
【００４０】
この商品流通システム、商品流通方法、プログラムでは、出品者６に関する情報は全て商品識別子により識別し、購入者７に関する情報は全て購入者識別子により識別することにより、出品者６および購入者７の個人情報をお互いに知られることなく、売買取引を行うことができる。また、この商品流通システム、商品流通方法、プログラムでは、出品者６および購入者７の個人情報をサーバ２の運営者および運送機関８だけに公開する。このため、出品者６および購入者７にとって安心、安全かつ信頼できる商品の売買取引を行うことができる。
【００４１】
【発明の効果】
本発明によれば、個人情報を取引の相手先に漏らさず、安心、安全かつ信頼できる商品の売買取引を行うことができる商品流通システム、商品流通方法およびプログラムを提供することができる。
【図面の簡単な説明】
【図１】本発明の実施の形態の商品流通システムの全体構成を示す説明図である。
【図２】図１に示す商品流通システムのサーバの構成を示すブロック図である。
【図３】図１に示す商品流通システムの運送機関端末の構成を示すブロック図である。
【図４】図１に示す商品流通システムの処理手順を示すフローチャートである。
【符号の説明】
１    インターネット
２    サーバ
３    出品者端末
４    購入者端末
５    運送機関端末
６    出品者
７    購入者
８    運送機関
１０  主制御部
１１  処理手段
１２  送信手段
１３  受信手段
１４  記憶手段
１５  商品識別子発行手段
１６  購入者識別子発行手段
１７  代金支払確認手段
１８  代金精算指示手段
１９  商品識別子送信手段
２０  商品情報送信手段
２１  購入情報送信手段
２２  購入者識別子送信手段
２３  取引情報送信手段
２４  出品要請情報送信手段
２５  商品情報取得手段
２６  配達先情報取得手段
２７  取引完了情報取得手段
２８  出品要請指示取得手段
２９  商品受取情報取得手段
３０  商品情報記憶手段
３１  購入情報記憶手段
４０  主制御部
４１  送信手段
４２  受信手段
４３  取引完了情報送信手段
４４  出品要請指示送信手段
４５  商品受取情報送信手段
４６  取引情報取得手段
【図１】
2004164139.tif 000003
【図２】
2004164139.tif 000004
【図３】
2004164139.tif 000005
【図４】
2004164139.tif 000006